(57)【要約】【課題】ユーザの指定により画像を分割でき、かつ、それぞれの分割データに対し、異なる出力結果を指定することが可能な画像処理装置を提供すること。【解決手段】タッチパネルに表示された印刷対象画像に対する分割の指定を受付ける分割受付手段と、前記受付手段に受付けた指定に従って印刷対象画像を分割する画像分割手段と、前記画像分割手段により分割された分割画像に対する印刷設定を受付ける分割画像印刷設定手段と、前記分割画像印刷設定手段により設定された印刷設定に従って前記画像を印刷出力することを特徴とする。【選択図】図１
2014131193.tif 000002
【特許請求の範囲】
【請求項１】
タッチパネルに表示された印刷対象画像に対する分割の指定を受付ける分割受付手段と、
前記受付手段に受付けた指定に従って印刷対象画像を分割する画像分割手段と、
前記画像分割手段により分割された分割画像に対する印刷設定を受付ける分割画像印刷設定手段と、
前記分割画像印刷設定手段により設定された印刷設定に従って前記画像を印刷出力することを特徴とする画像処理装置。
【請求項２】
前記分割受付手段は、ユーザが前記タッチパネルに表示された前記印刷対象画像に接触することで前記分割画像の分割に関する指定を受付けることを特徴とする請求項１記載の画像処理装置。
【請求項３】
前記分割画像に対する印刷設定は、少なくとも該分割画像の印刷部数、または出力サイズであることを特徴とする請求項１または２記載の画像処理装置。
【請求項４】
複数の前記分割画像の指定を受け付ける分割画像指定手段と、
前記分割画像指定手段により指定された画像同士を合成し新たな分割画像を生成する分割画像合成手段と、
を有することを特徴とする請求項１乃至３のいずれか１項に記載の画像処理装置。
【請求項５】
前記分割画像合成手段は、前記分割画像指定手段により指定された分割画像を前記印刷対象画像から除いた、新たな分割画像を生成することを特徴とする請求項４記載の画像処理装置。
【請求項６】
タッチパネルに表示された印刷対象画像に対する分割の指定を受付ける分割受付ステップと、
前記受付ステップにて受付けた指定に従って印刷対象画像を分割する画像分割ステップと、
前記画像分割ステップにより分割された分割画像に対する印刷設定を受付ける分割画像印刷設定ステップと、
前記分割画像印刷設定ステップにより設定された印刷設定に従って前記画像を印刷出力することを特徴とする画像処理装置の制御方法。
【請求項７】
画像処理装置を、
タッチパネルに表示された印刷対象画像に対する分割の指定を受付ける分割受付手段と、
前記受付手段に受付けた指定に従って印刷対象画像を分割する画像分割手段と、
前記画像分割手段により分割された分割画像に対する印刷設定を受付ける分割画像印刷設定手段と、
前記分割画像印刷設定手段により設定された印刷設定に従って前記画像を印刷出力することを特徴とする画像処理装置として機能させるプログラム。
【発明の詳細な説明】
【技術分野】
【０００１】
本発明は、原稿および画像出力時に、出力イメージを任意の設定で出力する画像出力制御装置、画像出力制御方法およびプログラムに関する。
【背景技術】
【０００２】
複写機等で、１枚の画像を複数に分割して出力するページ分割機能が実現されている。この場合、分割範囲はユーザが指定した枚数で等分割される。
【０００３】
例えば、１枚の画像を２枚に分割する際は、元画像を上下、もしくは左右に均等に分割されて出力される。
【０００４】
特許文献１には、画像データを所定の領域に分割し、不要な分割領域を削除して印刷する分割方式が提案されている。
【先行技術文献】
【特許文献】
【０００５】
【特許文献１】特開２００２−５１２０７号公報
【発明の開示】
【発明が解決しようとする課題】
【０００６】
しかしながら、先行技術によるページ分割は、分割の単位が４分割や２分割など等分に分割されるものである。そのため、原稿の中央付近にある情報などは、分割されて出力されてしまう。また、分割された画像に対する出力指定（倍率、部数など）は共通の設定となる。
【０００７】
そこで本発明では、ユーザの指定により画像を分割でき、かつ、それぞれの分割データに対し、異なる出力結果を指定することが可能な画像処理装置を提供することを目的とする。
【課題を解決するための手段】
【０００８】
タッチパネルに表示された印刷対象画像に対する分割の指定を受付ける分割受付手段と、前記受付手段に受付けた指定に従って印刷対象画像を分割する画像分割手段と、前記画像分割手段により分割された分割画像に対する印刷設定を受付ける分割画像印刷設定手段と、前記分割画像印刷設定手段により設定された印刷設定に従って前記画像を印刷出力することを特徴とする。
【発明の効果】
【０００９】
本発明によれば、ユーザの指定により画像を分割でき、かつ、それぞれの分割データに対し、異なる出力結果を指定することが可能となる。
【図面の簡単な説明】
【００１０】
【図１】本発明における画像処理装置のハードウェア構成の一例を示すハードウェア構成図である。
【図２】本発明における画像処理装置の機能構成の一例を示す機能構成図である。
【図３】本発明における画像処理装置のタッチパネルの一例を示す図である。
【図４】既存技術における分割指定のイメージ図である。
【図５】本発明における画像処理装置のページ分割指定処理の一例を示すイメージ図である。
【図６】本発明における画像処理装置の合成指定処理の一例を示すイメージ図である。
【図７】本発明における画像処理装置の印刷範囲指定処理の一例を示すイメージ図である。
【図８】本発明における画像処理装置のプリント範囲設定画面の一例を示す図である。
【図９】本発明における画像処理装置の印刷指定処理の操作画面の一例を示す図である。
【図１０】本発明の画像処理装置の出力画像編集画面の一例を示す図である。
【図１１】本発明の画像処理装置の全体処理を示すフローチャートである。
【図１２】本発明の画像処理装置の分割データを管理する分割画像管理テーブルである。
【発明を実施するための形態】
【００１１】
以下、図面を参照して、本発明の実施形態を詳細に説明する。
図１は、本発明における画像処理装置のハードウェア構成の一例を示すハードウェア構成図である。
【００１２】
図において、１００は画像処理装置内の各部を制御するコントローラユニット、１１２は操作部、１２３はスキャナ部、１２５はプリンタ部である。
【００１３】
この操作部１１２は、例えば、数字を入力するためのテンキーや処理の実行を行うためのスタートキー等のハードキーや液晶タッチパネルで指令を入力可能に構成されている。
この操作部１１２は、ユーザが画像処理装置を操作するためのユーザインタフェースを提供する。
【００１４】
この操作部１１２では、タッチパネルに表示される各設定項目を表すアイコンやボタン（もしくはハードキー）をタッチ（押下）することで、画像処理装置に設定や情報の入力を行うように構成されている。
【００１５】
また、スキャナ部１２３は、原稿等の画像を画像データとして読み取る。プリンタ部１２５は、記録用紙を搬送し、その記録用紙に画像データを可視画像として印刷する。
【００１６】
コントローラユニット１００は、バス１２２を介してスキャナ部１２３に接続され、またバス１２４を介してプリンタ部１２５に接続される。さらに、コントローラユニット１００は、ＬＡＮ１１３、公衆回線（ＷＡＮ）１１４又は無線１１５を介して他の機器に接続して、画像情報やデバイス情報の入出力制御を行う。
【００１７】
このコントローラユニット１００に設置されたＣＰＵ１０１は、システム全体を制御するコントローラである。ＲＡＭ１０２は、ＣＰＵ１０１が動作するためのシステムワークメモリであり、画像データを一時記憶するための画像メモリでもある。ＲＯＭ１０３はブートＲＯＭである。ＲＯＭ１０３には、システムのブートプログラムが格納されている。
【００１８】
ＨＤＤ１０４は、ハードディスクドライブであり、システムソフトウェアや画像データ、後述する通信部１１１が有するすべての無線通信に関する情報（無線通信の仕様）を格納する。
【００１９】
この画像処理装置では、使用したい機能を実装したアプリケーション（以下、「アプリ」と呼ぶ。）をインストールすることで機能を増やすことができる。アプリをインストールすると、画像処理装置上では、各種機能を動かすためのアプリケーションプログラムがＲＡＭ１０２やＨＤＤ１０４に記憶される。
【００２０】
このコントローラユニット１００に設置された操作部Ｉ／Ｆ１０６は、ユーザインターフェース（ＵＩ）である操作部１１２との間のインターフェース部であり、操作部１１２に表示すべきデータを操作部１１２に対して出力する。これと共に、この操作部Ｉ／Ｆ１０６は、操作部１１２からユーザが入力して指示した情報を、ＣＰＵ１０１に伝える役割を行う。
【００２１】
このコントローラユニット１００に設置されたＮｅｔｗｏｒｋ部１０９は、ＬＡＮ１１３に接続され、情報の入出力を行う。ＭＯＤＥＭ１１０は、公衆回線１１４に接続され、情報の入出力を行う。
【００２２】
このコントローラユニット１００に設置された通信部１１１は、不図示のアンテナを介して無線（ＷＩＲＥＬＥＳＳ）１１５に接続され、情報の入出力を行う。この通信部１１１は、複数種類の無線通信を行うことが可能である。上述した各デバイスは、それぞれシステムバス１０７上に配置されている。
【００２３】
このコントローラユニット１００におけるイメージバス（ＩｍａｇｅＢｕｓ）Ｉ／Ｆ１０５は、システムバス１０７と、画像データを高速で転送する画像バス１０８とを接続し、データ構造を変換するバスブリッジである。
【００２４】
この画像バス１０８上に配置される各デバイスにおいて、ラスターイメージプロセッサ（ＲＩＰ）１１６は、ＰＤＬコードをビットマップイメージに展開する。また、デバイスＩ／Ｆ部１１７は、スキャナ部１２３またはプリンタ部１２５をコントローラユニット１００に接続する。
【００２５】
この画像バス１０８上に配置されたスキャナ画像処理部１１８は、入力画像データに対して補正、加工、または編集を行う。プリンタ画像処理部１１９は、プリント出力画像データに対して、プリンタ部１２５に合った補正、解像度変換等を行う。画像回転部１２０は、画像データの回転を行う。画像処理部１２１は、画像データに対する、ＪＰＥＧ、ＪＢＩＧ、ＭＭＲ、ＭＨ等の圧縮伸張処理や、ＰＤＦ、ＴＩＦＦ等へのフォーマット変換処理やＯＣＲ処理や暗号化／復号化処理を行う。
図２は、本発明における画像処理装置の機能構成の一例を示す機能構成図である。
【００２６】
画像処理装置は、表示部２０１、分割受付け部２０２、分割画像への印刷設定部２０３、部数／サイズ設定部、分割画像合成処理部２０５、および印刷出力部２０６の各機能から構成されている。
【００２７】
表示部２０１は、印刷対象となる画像（元画像）が表示される。この画像は、コピー操作を行うユーザがスキャンしたものを表示して利用するようにしてもよいし、画像処理装置のＨＤＤに保存されている画像を選択して表示するようにしてもよい。
【００２８】
分割画像受付部２０２は、表示部２０１に表示される印刷対象画像の分割の指定を受付ける。ユーザが指で画面上をなぞる（接触する）ことで分割領域を指定することもできるし、タッチペンのような入力デバイスを用いて指定を受付けることもできる。
【００２９】
分割画像への印刷設定部２０３は、分割受付部２０２で指定されたように画像をパーツ画像（分割画像）に分割された画像に対して印刷項目の設定を行う。印刷項目とは、分割画像の合成や印刷部数、出力サイズなどの設定であり、分割された画像のそれぞれに対して個別に設定を行うことができる。これにより、例えばＡ〜Ｃの３つの画像に分割し、それらの画像を異なるサイズで異なる部数、印刷出力させることが可能となる。
【００３０】
なお、表示部２０１、分割受付部２０２、および分割画像印刷設定部２０３は、画像処理装置のタッチパネルに表示され、その表示画面上から分割画像を指定し、その画像に対する印刷設定を受付けるものである。
【００３１】
部数／サイズ処理部２０４は、分割画像に対して印刷設定部２０３で指定された部数／サイズの設定を行う。分割画像合成処理部２０５は、分割画像への印刷設定部２０３で設定された分割画像の合成の処理を行う。
【００３２】
印刷出力部２０６は、部数／サイズ処理部２０４および分割画像合成処理部２０５で設定された内容で分割画像を印刷出力する。
図３は、本発明における画像処理装置のタッチパネルの一例を示す図である。
図１の操作部１１２に対応するものであり、表示部２０１、入力部２０２、決定ボタン２０３を有する。
【００３３】
スキャナ部１２３で読み込まれた画像データを表示部２０１に表示し、入力部２０２で印刷設定に関する分割、合成、および範囲指定などの設定を行う。設定が行われ、決定ボタン２０３が押下されることで、プリンタ部１２５から印刷出力が行われる。
【００３４】
なお、決定ボタン２０３は、本発明にかかるアプリケーションを実行している時は決定ボタンとして作用し、それ以外はスタートボタンとして作用するものである。
図４は、既存技術における分割指定のイメージ図である。
【００３５】
ページ分割印刷の場合、元画像４０１に対して、点線のイメージでページがＡ４０２およびＢ４０３に分割され１枚ずつ出力される。
【００３６】
分割の方法（２ｉｎ１や４ｉｎ１など）はユーザにより指定可能である。また出力枚数を指定することは可能であるが、ＡとＢを別々に指定することはできず、それぞれが指定枚数分出力される。（同じ枚数）
図５は、本発明における画像処理装置のページ分割指定処理の一例を示すイメージ図である。
【００３７】
パターン１からパターン３の３つのパターンについて説明する。なお、ページ分割に関してはこのパターンに限られるものではなく、さまざまな組み合わせが可能である。
＜パターン１＞
【００３８】
元画像５０１は、スキャナ部により読み取られた元画像のイメージ図である。画像処理装置のタッチパネル上に表示される。
【００３９】
ユーザが点線を指定すると、パーツＡとパーツＢＣに分割される。分割されたデータに対して、タッチパネル上で用紙サイズの指定と部数の指定を行うことで、印刷イメージＡ５０２および印刷イメージＢ５０３のようなイメージで印刷出力される。
【００４０】
ここでは、パーツＡに対してＡ４サイズで１部出力、パーツＢＣに対してＡ４Ｒで２部出力するように指定している。
【００４１】
印刷イメージＡ５０２は、Ａ４サイズに拡大（または縮小。元原稿のサイズによる。元原稿がＡ４であれば、拡大される。）され、１部出力される。
印刷イメージＢＣ５０３は、Ａ４Ｒサイズに拡大／縮小され、２部出力される。
＜パターン２＞
【００４２】
パターン１と同様に、元原稿５１１に対して点線で分割指定がなされると、パーツＡ、パーツＢＣＤＥ、およびその他のパーツに３分割される。
【００４３】
パーツＡに対して２００％拡大で２部、パーツＢＣＤＥに対して１００％（拡大／縮小なし）で３部、その他のパーツは０部（出力しない）出力するように指定している。
【００４４】
印刷イメージＡ５１２は、２００％拡大され２部印刷出力され、印刷イメージＢＣＤＥ５１３は、原稿サイズはそのままで３部印刷出力され、その他のパーツは印刷出力されない。
＜パターンＣ＞
【００４５】
パターン１、パターン２と同様に、元原稿５２１に対して点線で分割指定がなされ、それぞれのパーツに印刷設定を行うと、パーツＡＥ５２２はＡ４Ｒで１部、パーツＤＨ５２３は１５０％拡大され１部印刷出力される。
点線に囲まれた斜線部分５２４は、０部として指定されているので印刷出力されない。
【００４６】
このように分割指定処理では、元原稿をユーザが指定する部分で分割し、それぞれのパーツを好みのサイズで必要な部数印刷することが可能となる。また、不要なパーツを印刷しないようにすることも可能となる。
図６は、本発明における画像処理装置の合成指定処理の一例を示すイメージ図である。
【００４７】
ページ分割指定処理と同様に、スキャナ部により原稿をスキャンすると、元原稿６０１が画像処理装置のタッチパネル上に表示される。
【００４８】
ユーザが点線を指定すると、パーツＡＥ、パーツＢＣＦＧ、およびパーツＤＨの３つのパーツに分割される。パーツＡＥとパーツＤＨを合成するように指定を受け付けることで、パーツＡＥＤＨ６０２およびパーツＢＣＦＤ６０３が作成される。
印刷サイズや印刷部数に関する設定は、図５に示すページ分割指定と同じように行うことができる。
【００４９】
このように、合成指定処理では、元原稿をユーザが指定する部分で分割し、それぞれのパーツを合成することで、好みのパーツを組み合わせた新しいパーツを作成し、印刷出力することができる。
図７は、本発明における画像処理装置の印刷範囲指定処理の一例を示すイメージ図である。
【００５０】
ページ分割指定処理や合成指定処理と同様に、スキャナ部により原稿をスキャンすると、元原稿７０１が画像処理装置のタッチパネル上に表示される。
【００５１】
ユーザが点線を指定すると、パーツＡＥ、パーツＢＦ、およびパーツＣＤＧＨに分割される。ユーザは、パーツＢＦを「ＯＦＦ」にする設定を行うと、パーツＡＥＣＤＧＨ７０２が作成される。パーツＡＥとパーツＣＤＧＨを合成するようにして印刷出力するようにしてもよいし、元画像７０１からパーツＢＦを削除して印刷出力するようにしてもよい。
【００５２】
このように、印刷範囲指定処理では、元原稿をユーザが指定する部分で分割し、印刷したくないパーツを指定することで、柔軟な印刷出力を行うことができる。
図８は、本発明における画像処理装置のプリント範囲設定画面の一例を示す図である。
図５から図７の印刷処理指定する際に、印刷に関する詳細な設定を行う画面である。
【００５３】
メイン画面８０１は、元原稿をスキャンした後もしくは、画像処理装置のＨＤＤなどに保存されている画像を選択することで表示される。メイン画面８０１上でプリント詳細設定画面ボタン８１１を押下することで、プリント詳細設定画面８０２が表示される。プリント詳細設定画面で設定が終わると、本画面に戻り、プリント開始を押下することで印刷出力が開始される。
【００５４】
プリント詳細設定画面８０２は、画像分割画面８２１および印刷設定画面８２２が設けられている。画像分割画面８２１には、元画像が表示され、指やタッチペンなどで画像を指定することにより前述の点線イメージで元画像がパーツに分割される。
分割されたパーツに対しての印刷設定を、印刷設定画面８２２を利用して行う。
【００５５】
キャンセルボタン８１２が押下されることで設定した内容が破棄されてメイン画面８０１に戻る。設定終了８１３が押下されると設定した内容を保存してメイン画面８０１に戻る。
図９は、本発明における画像処理装置の印刷指定処理の操作画面の一例を示す図である。
【００５６】
画像分割エリア９１１には元画像が表示され、ユーザが任意の位置に分割線を引くことが可能となる。ユーザにより分割線が引かれると、分割線に従って元画像がパーツに分割されて、印刷設定エリア９１２に表示される。分割線は、実際に画像に線が引かれるのではなく、イメージとして仮想的に引かれるラインである。
【００５７】
印刷設定エリア９１２にてパーツに対して印刷設定を行うことで、印刷設定が反映された状態９１３で表示される。この例によれば、パーツ１がＡ４で１部、パーツ２は０部、パーツ３は、Ａ４Ｒで１部印刷出力される。
図１０は、本発明の画像処理装置の出力画像編集画面の一例を示す図である。
プリント詳細設定画面１００１上の画像分割エリア１０１１上に元画像が表示される。
【００５８】
ユーザが任意の位置に分割ラインＬ１およびＬ２を引くことにより、分割されたパーツ画像が印刷設定エリア１０１２に表示される。
【００５９】
分割した画像を結合させる場合、印刷設定エリア１０１２上の基準とする画像（基準画像）を選択する。例えば、パーツ１の右側にパーツ３を結合させる場合の操作を下記に記す。
【００６０】
印刷設定エリア１０１２上でパーツ１を選択すると、設定内容を選択するためのポップアップ画面１００３が表示される。ポップアップ画面１００３上には、部数指定１０２１、サイズ指定１０２２、および結合指定１０２３のメニューが表示される。ここでは、結合指定１０２３を押下することにより、結合位置指定画面１００４が表示される。
【００６１】
結合する画像の位置（上・下・左・右）を指定するボタンが１０２４から１０２７まで表示され、右１０２７を押下すると結合位置指定画面１００４が閉じられ、プリント範囲設定画面に戻る。
【００６２】
その後、印刷設定エリア１０１２において、結合対象となる画像３を選択すると、印刷設定エリア１０１４上（プリント詳細設定画面１００２）に、分割画像同士が結合された新たなパーツ４が作成され、表示される。
【００６３】
分割パーツに対し、印刷出力の部数指定を行う場合は、印刷設定エリア１０１４上の分割パーツを選択し、表示されるポップアップ画面１００３から部数指定ボタン１０２１を押下し、ハードキーから部数を入力する。部数入力が完了すると、印刷設定エリア１０１４上のパーツの下に設定値が表示される。
【００６４】
分割パーツに対し、出力サイズを指定する場合は、印刷設定エリア１０１４上の分割パーツを選択し、表示されるポップアップ画面１００３からサイズ指定ボタン１０２２を押下する。
【００６５】
サイズ指定ボタン１０２２が押下されると、画面１００５のポップアップが表示され、定型／可変を選択する。プリント詳細設定画面１００６では、画像分割エリア１０１５に、選択した分割パーツ、用紙サイズ、および分割パーツ上に印刷範囲が表示される。
【００６６】
ここで、用紙サイズを選択し、サイズを変更することにより、分割データ上の印刷範囲が選択された用紙サイズに変動する。
【００６７】
用紙サイズ上の印刷範囲は、移動させることと大きさを変動させることが可能であり、ユーザが任意の位置に任意の大きさに指定することが出来る。大きさを変動させた場合、倍率が自動で計算され印刷設定エリア１０１６のパーツ画像の下に反映される。
【００６８】
設定を終了する場合は、プリント詳細設定画面１００６の設定終了ボタン１０２８を押下し、プリント画面にもどり、プリント開始を行うことで、分割パーツに設定された情報で出力される。
図１１は、本発明の画像処理装置の全体処理を示すフローチャートである。
【００６９】
本発明実施形態における画像処理装置の出力画像作成処理を示すフローチャートであり、Ｓ１１０１〜Ｓ１１１７は処理ステップを示す。
【００７０】
まず、ステップＳ１１０１において、画像形成装置に対し、ユーザからの操作により出力元なる画像を読み込む。
【００７１】
ステップＳ１１０２において、メイン画面８０１からプリント詳細設定画面ボタン８１１を押下することにより、ユーザがページ分割指定の設定を開始することを判断し、対象となる画像を画像形成装置上のタッチパネルに表示する。
【００７２】
ユーザがページ分割指定完了操作となる設定終了ボタン８１３の押下を行うまで、分割指定を繰り返し行う。
ステップＳ１１０３において、ユーザが読み込んだ画像を分割指定するか否かを判断する。
【００７３】
ユーザがページ分割を指定する場合は、画像分割エリアに出力している元画像に対し、分割指定操作を受け取るために入力操作を許可する。
【００７４】
ステップＳ１１０４において、画像分割エリアに出力している元画像に出力している画像に対し、ユーザが任意に指定した分割ラインを出力されている画像上に出力する。
【００７５】
ステップＳ１１０５において、ユーザが指定した分割ラインの座標を解析し、画像分割エリアに表示している画像を分割ラインで分離したパーツ画像を作成し、印刷設定エリアにパーツ画像を出力する。分割ラインは複数設定することを可能とする。
【００７６】
ステップＳ１１０６において、ユーザが分割した画像データに対し、結合設定が選択されたか否かを判定する。結合設定がなされていた場合は、ステップＳ１１０７に進み、結合設定が選択されなかった場合は、ステップＳ１１１１に進む。
【００７７】
ステップＳ１１０７において、印刷設定エリアのパーツ画像をユーザが指定することにより、設定内容を選択するポップアップ画面が表示される。
【００７８】
結合指定ボタンが押下されることにより、選択パーツ画像に対し結合位置を指定する画面１００４を表示する。
【００７９】
ステップＳ１１０８において、ボタンＢ１０２４〜Ｂ１０２７を選択することにより、結合位置を指定する。例えば、画像を右側に結合したい場合、右ボタン１０２７を押下する。
【００８０】
ボタンＢ１０２４〜Ｂ１０２７のいずれかのボタンを押下されると、結合位置指定画面１００４を閉じ、プリント詳細設定画面１００１に戻る。
【００８１】
ステップＳ１１０９において、印刷設定エリアに表示されている画像から結合するパーツ画像を選択する。
【００８２】
ステップＳ１１１０において、ステップＳ１１０７で指定された画像に対し、ステップＳ１１０８で指定された側にステップＳ１１０９で指定された画像を結合した画像を作成する。作成された画像を印刷設定エリアに追加表示する。
【００８３】
ステップＳ１１１１において、分割生成した画像に対し、印刷サイズや部数の印刷設定が選択されたか否かを判定する。選択された場合は、ステップＳ１１１２に進み、選択されなかった場合は、ループの判定を行う。
【００８４】
なお、ステップＳ１１１２からステップＳ１１１６の処理は、出力サイズと出力部数を指定するものであり、指定の順番はこだわらないものとする。また、ユーザにより入力を省略するために、デフォルトの値を設定しておくことも可能である。
【００８５】
ステップＳ１１１２において、ユーザがサイズ指定ボタンを押下することにより、画面１００５のポップアップが表示され、定型／可変が選択される。
【００８６】
定型指定がされた場合は、ステップＳ１１１３に進み、該当する画像形成装置上で設定可能な定型サイズの指定を受け付ける。
【００８７】
一方、可変が選択された場合は、ステップＳ１１１４において、印刷設定エリア上に表示されている印刷範囲を変更することで倍率および印刷領域を指定する。
【００８８】
ステップＳ１１１５において、印刷設定エリア上に表示されている分割パーツ画像を選択し、部数指定ボタンにユーザがハードキーから数値を入力することにより、出力部数が決定される。
【００８９】
ステップＳ１１１６において、ステップＳ１１１５で入力された部数を、印刷設定エリア上に表示されている分割パーツ画像に出力部数を表示する。
【００９０】
ステップＳ１１１７において、印刷設定エリア上に表示されている分割パーツ画像を、ステップＳ１１１３または、ステップＳ１１１４で指定された変倍指定で、ステップＳ１１１５で指定された部数印刷する。
ステップＳ１１１５で指定されなかった分割パーツ画像に対しては、出力対象外とし印刷を行わない。
図１２は、本発明の画像処理装置の分割データを管理する分割画像管理テーブルである。
【００９１】
分割画像管理テーブル１２００は、以下に示す項目が記憶されている。タッチパネル上で分割画像への印刷設定が行われた時に作成される。
【００９２】
ＮＯ  １２０１は、パーツ分割画像を特定するための一意の番号であり、画像１２０２には、分割された分割画像の名称（パーツ名）が記憶される。名称は、分割画像が作成されたときに、画像処理装置が命名するものとする。
【００９３】
サイズ／倍率１２０３は、各分割画像に対して設定されたサイズ／倍率が記憶され、部数１２０４は、各分割画像に対して設定された印刷部数が記憶される。
【００９４】
基準画像１２０５は、図１０にて分割画像を合成する設定を行ったときに記憶されるもので、基準とする画像が記憶され、結合位置１２０６は、結合位置指定画面にて指定された位置が記憶され、結合画像１２０７は、基準画像に対して結合する画像が記憶される。
【００９５】
例えば、パーツ４は、出力サイズがＡ４で１部出力され、パーツ１を基準としてその右側にパーツ３が結合されて合成された分割画像である。
【００９６】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００９７】
また、本発明におけるプログラムは、本発明に示すフローチャートの処理方法をコンピュータが実行可能なプログラムであり、本発明の記憶媒体はコンピュータが実行可能なプログラムが記憶されている。なお、本発明におけるプログラムは各装置の処理方法ごとのプログラムであってもよい。
【００９８】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００９９】
この場合、記録媒体から読み出されたプログラム自体が本発明の新規な機能を実現することになり、そのプログラムを記憶した記録媒体は本発明を構成することになる。
【０１００】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１０１】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０２】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０３】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１０４】
さらに、本発明を達成するためのプログラムをネットワーク上のサーバ、データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【符号の説明】
【０１０５】
１００      コントローラユニット
１０１      ＣＰＵ
１０２      ＲＡＭ
１０３      ＲＯＭ
１０４      ＨＤＤ
１０５      イメージバスＩ／Ｆ
１０６      操作部Ｉ／Ｆ
１０９      Ｎｅｔｗｏｒｋ部
【図１】
2014131193.tif 000003
【図２】
2014131193.tif 000004
【図３】
2014131193.tif 000005
【図４】
2014131193.tif 000006
【図５】
2014131193.tif 000007
【図６】
2014131193.tif 000008
【図７】
2014131193.tif 000009
【図８】
2014131193.tif 000010
【図９】
2014131193.tif 000011
【図１０】
2014131193.tif 000012
【図１１】
2014131193.tif 000013
【図１２】
2014131193.tif 000014